(57)【要約】【課題】        簡易な構造で、人の衣類に付着したアレルゲンを除去できるエアシャワー装置を用いたアレルゲンフリー建物を提供することにある。【解決手段】    建物本体２０ａの玄関１と、玄関１の両側に設けられた側壁２とからなる空間３に空気を送風する送風手段として、吸気口５から空気を吸気すると共に、吸気された空気を送風する送風ファン６と、送風ファン６により送風された空気を排気する排気口７と、吸気口５と送風ファン６との間に配置され、尿素と、アレルゲンを不活性化する酵素とを備えたフィルタ８とを有すエアシャワー装置４を用い、吸気口５から吸気された空気に含まれるアレルゲンがフィルタ８の酵素および尿素と接触して、前記アレルゲンを不活性化し、排気口７の下流側に居る人１６の衣類などに前記空気を送風しても新たにアレルゲンを付着させず、人１６の衣類などに付着していたアレルゲンを飛散させるようにした。【選択図】        図１
2006194468.tif 000002
【特許請求の範囲】
【請求項１】
外気を取り込む吸気口と、前記吸気口から空気を吸気すると共に、吸気した空気を送風する送風手段と、前記送風手段により送風された空気を排気する排気口とを有すエアシャワー装置であって、
前記吸気口と前記送風手段との間に、尿素と、アレルゲンを不活性化する酵素とを備えたフィルタを配置して、前記吸気口から吸気された空気に含まれるアレルゲンを不活性化した
ことを特徴とするエアシャワー装置。
【請求項２】
請求項１に記載されたエアシャワー装置であって、
前記フィルタに液体を供給する液体供給手段を配置する
ことを特徴とするエアシャワー装置。
【請求項３】
請求項２に記載されたエアシャワー装置であって、
前記液体供給手段における液体に抗菌剤を添加する
ことを特徴とするエアシャワー装置。
【請求項４】
建物本体の出入り口と、前記出入り口の両側に設けられた側壁とからなる空間に空気を送風する空気送風手段として、請求項１乃至請求項３の何れかに記載のエアシャワー装置を用いる
ことを特徴とするアレルゲンフリー建物。
【請求項５】
請求項４に記載されたアレルゲンフリー建物であって、
前記空間に人の有無を感知する人感知手段を設ける
ことを特徴とするアレルゲンフリー建物。
【請求項６】
請求項４または請求項５に記載されたアレルゲンフリー建物であって、
前記空間の下方にアレルゲンの濃度を測定するアレルゲン濃度測定手段を設ける
ことを特徴とするアレルゲンフリー建物。
【請求項７】
請求項４乃至請求項６の何れかに記載されたアレルゲンフリー建物であって、
前記空気送風手段と連通して室内給気ダクトを設けると共に、前記空気送風手段の送風先を前記空間または前記室内給気ダクトに切り替える切替え手段を設ける
ことを特徴とするアレルゲンフリー建物。
【発明の詳細な説明】
【技術分野】
【０００１】
本発明は、エアシャワー装置およびそれを用いたアレルゲンフリー建物に関する。
【背景技術】
【０００２】
人にアレルギーを発症させるアレルゲンとして、建物内で発生するダニなどの小動物の死骸や、カビや、建物内に溜まる埃などの他に、人の衣類などに付着して建物内に持ち込まれる花粉などが挙げられる。従来は、建物内では掃除してアレルゲンを除去する一方、建物内に入る際に衣類などに付着した花粉を手ではたいて払い落とすことで、アレルゲン物質の建物への持ち込みを極力避けていた。
【０００３】
ところで、半導体製造工場、液晶ディスプレイ製造工場などにおけるクリーンルーム内に、人（作業者）の衣類に付着した塵埃、菌、化学物質を持ち込まないようにするため、隣接してエアシャワー室が設けられている。このエアシャワー室に設置されるエアシャワー装置の一例として、特許文献１に記載のエアシャワー装置が知られている。このエアシャワー装置は、エアシャワー室の天井部に設けられ、放電によって正イオンと負イオンを放出するイオン発生器を有しており、イオン発生器にて発生した正イオン及び負イオンを含む空気を送風手段によりエアシャワー室の床部に設けられた吸込み口に向かって流し、前記空気をエアシャワー室に入った人に送風することで、前記人の衣類に付着した浮遊菌、化学物質などを分解・除去し、さらに前記人の衣類から塵埃を飛散させ、飛散した塵埃を吸込み口から室外に排出するようにしている。
【０００４】
【特許文献１】特開２００４−２８５３２号公報
【発明の開示】
【発明が解決しようとする課題】
【０００５】
しかしながら、人の衣類に付着した花粉を手ではたいても払い落とすことができないと、建物内に花粉を持ち込んでしまう虞があった。
【０００６】
また、特許文献１に記載のエアシャワー装置では、人の衣類に付着している花粉などを飛散させて室外に排出することができるものの、イオン発生器を用いているので装置が複雑になり、その製造コストが嵩んでしまうという問題があった。
【０００７】
そこで、本発明は、前述した問題に鑑み提案されたもので、簡易な構造で、人の衣類に付着したアレルゲンを除去できるエアシャワー装置及びそれを用いたアレルゲンフリー建物を提供することを目的とする。
【課題を解決するための手段】
【０００８】
上述した課題を解決する第１の発明に係るエアシャワー装置は、外気を取り込む吸気口と、前記吸気口から空気を吸気すると共に、吸気した空気を送風する送風手段と、前記送風手段により送風された空気を排気する排気口とを有すエアシャワー装置であって、前記吸気口と前記送風手段との間に、尿素と、アレルゲンを不活性化する酵素とを備えたフィルタを配置して、前記吸気口から吸気された空気に含まれるアレルゲンを不活性化したことを特徴とする。前記酵素としては、プロテイナーゼやぺプチダーゼが挙げられる。
【０００９】
上述した課題を解決する第２の発明に係るエアシャワー装置は、第１の発明に記載されたエアシャワー装置であって、前記フィルタに液体を供給する液体供給手段を配置することを特徴とする。
【００１０】
上述した課題を解決する第３の発明に係るエアシャワー装置は、第２の発明の発明に記載されたエアシャワー装置であって、前記液体供給手段における液体に抗菌剤を添加することを特徴とする。
【００１１】
上述した課題を解決する第４の発明に係るアレルゲンフリー建物は、建物本体の出入り口と、前記出入り口の両側に設けられた側壁とからなる空間に空気を送風する空気送風手段として、第１の発明乃至第３の発明の何れかに記載のエアシャワー装置を用いることを特徴とする。
【００１２】
上述した課題を解決する第５の発明に係るアレルゲンフリー建物は、第４の発明に記載されたアレルゲンフリー建物であって、前記空間に人の有無を感知する人感知手段を設けることを特徴とする。
【００１３】
上述した課題を解決する第６の発明に係るアレルゲンフリー建物は、第４の発明または第５の発明に記載されたアレルゲンフリー建物であって、前記空間の下方にアレルゲンの濃度を測定するアレルゲン濃度測定手段を設けることを特徴とする。
【００１４】
上述した課題を解決する第７の発明に係るアレルゲンフリー建物は、第４の発明乃至第６の発明の何れかに記載されたアレルゲンフリー建物であって、前記空気送風手段と連通して室内給気ダクトを設けると共に、前記空気送風手段の送風先を前記空間または前記室内給気ダクトに切り替える切替え手段を設けることを特徴とする。
【発明の効果】
【００１５】
第１の発明に係るエアシャワー装置によれば、吸気口から吸気された空気に含まれるアレルゲンはフィルタの酵素および尿素と接触し、前記尿素により前記アレルゲンを構成するたんぱく質の高次構造が崩され、前記酵素によりたんぱく質の一次結合が切断されて、不活性化される。その結果、前記排気口の下流側に居る人に、吸気口、フィルタ、送風手段、排気口を通った空気を送風しても、前記空気に含まれるアレルゲンが不活性化されているので、前記人の衣類などに新たにアレルゲンを付着させることがなく、前記空気の送風により、前記人の衣類などに付着していたアレルゲンを飛散させることができる。
【００１６】
第２の発明に係るエアシャワー装置によれば、第１の発明に記載のエアシャワー装置と同様な作用効果を奏する他、酵素のたんぱく質の一次結合を切断する反応が促進されるので、短時間でより多くのアレルゲンを不活性化することができるようになる。
【００１７】
第３の発明に係るエアシャワー装置によれば、第２の発明に記載のエアシャワー装置と同様な作用効果を奏する他、フィルタに供給される液体に抗菌剤が添加されることとなり、この抗菌剤の作用により、フィルタ、送風手段、および排気口における菌、微生物などの繁殖を抑制することができる。
【００１８】
第４の発明に係るアレルゲンフリー建物によれば、第１の発明乃至第３の発明に記載のエアシャワー装置と同様な作用効果を奏する他、吸気口から吸気された空気に含まれるアレルゲンはフィルタの酵素および尿素と接触し、前記尿素により前記アレルゲンを構成するたんぱく質の高次構造が崩され、前記酵素によりたんぱく質の一次結合が切断されて、不活性化される。そのため、前記排気口の下流側に居る人に、吸気口、フィルタ、送風手段、排気口を通った空気を送風しても、前記空気に含まれるアレルゲンが不活性化され、前記人の衣類などに新たにアレルゲンを付着させることがなく、前記空気の送風により、前記人の衣類などに付着していたアレルゲンを飛散させることができる。よって、簡易な構造で、建物内に入る際に、衣類などに付着したアレルゲンを除去することができるので、建物内に前記アレルゲンを持ち込まないようにすることができる。
【００１９】
第５の発明に係るアレルゲンフリー建物によれば、第４の発明に記載のアレルゲンフリー建物と同様な作用効果を奏する他、人感知手段にて人が居ることを感知したときだけエアシャワー装置を動作させることができ、操作性が向上する。
【００２０】
第６の発明に係るアレルゲンフリー建物によれば、第４の発明および第５の発明に記載のアレルゲンフリー建物と同様な作用効果を奏する他、アレルゲン濃度測定手段によりアレルゲン濃度が所定値以上のときだけエアシャワー装置を動作させることができ、操作性がさらに向上する。
【００２１】
第７の発明に係るアレルゲンフリー建物によれば、第４の発明乃至第６の発明に記載のアレルゲンフリー建物と同様な作用効果を奏する他、切替え手段により、空気送風手段から室内給気ダクトに空気を送風することができ、建物内へのアレルゲンの入り込みを抑制することができる。また、フィルタを通過して室内給気ダクトから建物内にアレルゲンが入り込み、このアレルゲンを人が吸い込んでしまっても、アレルゲンがフィルタの酵素および尿素と接触して不活性化されているので、アレルギーを発症する原因とならないようになる。
【発明を実施するための最良の形態】
【００２２】
以下に、本発明に係るエアシャワー装置およびアレルゲンフリー建物を実施するための最良の形態を実施例に基づき具体的に説明する。
【実施例１】
【００２３】
図１は、本発明の第１の実施例に係るアレルゲンフリー建物の概略図であり、図１（ａ）にその側面を示し、図１（ｂ）にその平面を示す。図２は、本発明の第１の実施例に係るアレルゲンフリー建物に用いられるフィルタおよびフィルタへ液体を供給する液体供給装置の概略図である。図３は、本発明の第１の実施例に係るアレルゲンフリー建物のエアシャワー装置の制御フローを示す図である。
【００２４】
本発明の第１の実施例に係るアレルゲンフリー建物としては、住宅や、病院などアレルゲンをその内部に侵入させたくない建物が挙げられる。アレルゲンフリー建物２０は、図１に示すように、建物本体２０ａ内への出入り口である玄関１と、玄関１の両側に設けられた側壁２と、玄関１及び側壁２からなる空間３の上方に配置された空気送風手段であるエアシャワー装置４とを有する。エアシャワー装置４は、外気を取り込む吸気口５と、吸気口５から空気を吸気すると共に、吸気された空気を送風する送風手段である送風ファン６と、送風ファン６により送風された空気を排気する排気口７とを有する。ただし、排気口７は空間３の上方に配置されており、送風ファン６からの空気は排気口７の下方に向けて送風される。吸気口５と送風ファン６との間には、フィルタ８が配置される。
【００２５】
フィルタ８は、アレルゲンを構成するたんぱく質の高次構造を崩す尿素と、前記高次構造が崩れたたんぱく質の一次結合を切断してアレルゲンを不活性化する酵素、例えばペプチド結合を加水分解するプロテアーゼとを備えている。プロテアーゼは、プロテイナーゼとぺプチダーゼとに大別される。プロテイナーゼはタンパク質分子のペプチド結合を加水分解する酵素であり、高分子たんぱく質に作用すると急速な低分子化が起こり、たんぱく質をペプトン化するものである。ぺプチダーゼはペプチド鎖のアミノ末端あるいはカルボキシ末端のペプチド結合を加水分解する酵素であり、ペプチド鎖の末端から順次アミノ酸を遊離させるものである。なお、上記酵素は、空気中の湿気により活性になっている。
【００２６】
図２に示すように、フィルタ８に水などの液体を供給する液体供給手段である液体供給装置９が設けられる。液体供給装置９は、上水道に連通し、水が流れる連通管１０と、連通管１０に介在し、連通管１０内の水の流れを閉止する閉止弁１１と、連通管１０の先端に設けられ、フィルタ８と吸気口５との間に配置される透湿膜からなる加湿部１２とを有する。閉止弁１１を開放することで、上水道から連通管１０を通って、加湿部１２に水が流れ、加湿部１２の周りを空気が流れることにより、加湿部１２から水が蒸発するようになっている。よって、液体供給装置９から供給された水が加湿部１２にて蒸発してフィルタ８に供給されることにより、酵素がたんぱく質の結合を切断する反応は促進されるので、短時間でより多くのアレルゲンを不活性化することができるようになる。
【００２７】
図１に示すように、空間３には、人１６の有無を感知する人感知手段である人感知センサ１７が設けられており、人感知センサ１７にて感知した人の有無の情報が制御装置１５に送られる。空間３の下方には、アレルゲンの濃度を測定するアレルゲン濃度測定手段であるアレルゲン濃度測定センサ１８が設けられており、アレルゲン濃度測定センサ１８にて測定されたアレルゲンの濃度の情報は制御装置１５に送られる。制御装置１５は、エアシャワー装置４の動作を制御する。
【００２８】
ここで、エアシャワー装置４の制御を、図３を用いて説明する。図３に示すように、最初にＳ１にてエアシャワー装置４の電源がＯＮ状態になる。続いて、Ｓ２に進み、人感知センサ１７にて人１６の有無を感知する。人１６を感知した場合にはＳ３に進み、人１６を感知しない場合には、Ｓ５に進む。続いて、Ｓ３にてアレルゲン濃度測定センサ１８によりアレルゲンの濃度を測定し、前記濃度が所定値以上か判定する。アレルゲンの濃度が所定値以上と判定した場合にはＳ４に進み、アレルゲンの濃度が所定値未満と判定した場合には、Ｓ５に進む。続いて、Ｓ４にてエアシャワー装置４を動作させ、Ｓ２に戻る。また、Ｓ５にてエアシャワー装置４を停止し、Ｓ２に戻る。
【００２９】
エアシャワー装置４が動作すると、吸気口５から空気が吸気され、吸気された空気がフィルタ８を通過して送風ファン６、排気口７を通って、空間３に送られる。空間３内に居る人１６に空気が送風され、この空気により人１６の衣類などに付着したアレルゲンが飛散される。
【００３０】
したがって、本発明の第１の実施例に係るアレルゲンフリー建物２０によれば、空気がフィルタ８を通過する際に、空気に含まれるアレルゲンがフィルタ８の酵素および尿素と接触し、アレルゲンを構成するたんぱく質を分解して、アレルゲンを不活性化するので、フィルタ８を前記アレルゲンが通過し、空間３内に居る人１６の衣類などに付着し、建物２０内に持ち込み、このアレルゲンを人１６が吸い込んでしまっても、上述したようにアレルゲンが不活性化されているので、アレルギーを発症する原因とならないようになる。また、簡易な構造で、人１６に付着したアレルゲンを飛散させて、建物２０内にアレルゲンを持ち込まないようにすることができる。
【００３１】
また、排気口７を空間３の上方に設け、上方から下方に向けて空気を送風するエアシャワー装置４を用いて説明したが、側壁２に排気口を設けて側方から空気を送風するようにしても良い。
【実施例２】
【００３２】
以下に、本発明の第２の実施例に係るアレルゲンフリー建物について、図を用いて具体的に説明する。第２の実施例に係るアレルゲンフリー建物は、上述した第１の実施例に係るアレルゲンフリー建物における液体供給装置に抗菌剤添加装置を追加したものであり、このアレルギーフリー建物と同じ構造を有する。液体供給装置は、第１の実施例に係るアレルゲンフリー建物に用いられる液体供給装置と同じ構造なので、同一符号を付記し、その説明を省略する。
【００３３】
図４は、本発明の第２の実施例に係るアレルゲンフリー建物に用いられる抗菌剤添加装置の概略図である。
【００３４】
図４に示すように、本発明の第２の実施例に係るアレルゲンフリー建物が有する液体供給装置３０は、抗菌剤を水に添加する抗菌剤添加装置３１を有する。抗菌剤添加装置３１は、連通管１０における閉止弁１１と加湿部１２との間に配置される。
【００３５】
前記抗菌剤としては、例えば、ゼオライト、粘土鉱物、シリカゲル、シリカ／アルミナ、メタ珪酸アルミン酸、マグネシウム、ガラス、燐酸ジルコニウム、燐酸カルシウム（アパタイト）、酸化チタン、トリポリ燐酸、ジルコニウムなどの無機系抗菌剤や、アルコール系、フェノール系、アルデヒド系、カルボン酸系、エステル系、エーテル系、ニトリル系、過酸化物・エポキシ系、ハロゲン系、ピリジン・キノリン系、トリアジン系、イソチアゾロン系、イミダゾール・チアゾール系、アニリド系、ビグアナイド系、ジスルフィド系、チオカーバメート系、界面活性剤系、有機金属系の有機系抗菌剤や、動物・魚由来系、微生物・放線菌由来系、酵素由来系、植物由来系、天然イオウ由来系、天然鉱石由来系の天然由来系抗菌剤などが挙げられる。
【００３６】
したがって、本発明の第２の実施例に係るアレルゲンフリー建物によれば、上述した第１の実施例に係るアレルゲンフリー建物と同様な作用効果を奏する他、フィルタ８に供給する水に抗菌剤を添加することにより、加湿部１２から水と共に抗菌剤が気化し、気化した抗菌剤がフィルタ８、送風ファン６、排気口７を通って、空間３内に送られるので、フィルタ８、送風ファン６、排気口７、および空間３内における菌、微生物などの繁殖を抑制することができる。
【実施例３】
【００３７】
以下に、本発明の第３の実施例に係るアレルゲンフリー建物について、図を用いて具体的に説明する。第３の実施例に係るアレルゲンフリー建物は、上述した第１の実施例に係るアレルゲンフリー建物に送風ファンの送風先を室内給気ダクトと排気口とに切替え可能な切替えダンパを追加したものであり、このアレルギーフリー建物と同じ構造を有するので、同一符号を付記し、その説明を省略する。
【００３８】
図５は、本発明の第３の実施例に係るアレルゲンフリー建物の概略図である。
【００３９】
本発明の第３の実施例に係るアレルゲンフリー建物４０は、図５に示すように、エアシャワー装置４と連通して設けられた室内給気ダクト１３と、送風ファン６からの送風先を室内給気ダクト１３と排気口７とに切替え可能な切替え手段である切替えダンパ１４とを有する。切替えダンパ１４は制御装置１５により制御される。
【００４０】
制御装置１５では、人感知センサ１７により人１６がいないことを感知すると、切替えダンパ１４により送風ファン６の送風先を室内給気ダクト１３に切替え、送風ファン６により吸気口５、フィルタ８を通った空気は、室内給気ダクト１３に送風される。
【００４１】
したがって、本発明の第３の実施例に係るアレルゲンフリー建物４０によれば、上述した第１の実施例に係るアレルゲンフリー建物と同様な作用効果を奏する他、切替えダンパ１４を設け、フィルタ８を通った空気を室内給気ダクト１３に送風するようにし、空気に含まれるアレルゲンがフィルタ８の酵素および尿素と接触し、アレルゲンを構成するたんぱく質を分解して、アレルゲンを不活性化するので、建物４０内へのアレルゲンの入り込みを抑制することができる。また、フィルタ８を通過して室内給気ダクト１３から建物４０内にアレルゲンが入り込み、このアレルゲンを人が吸い込んでしまっても、上述したようにアレルゲンが不活性化されているので、アレルギーを発症する原因とならないようになる。
【産業上の利用可能性】
【００４２】
本発明は、エアシャワー装置およびそれを用いたアレルゲンフリー建物に利用することが可能である。
【図面の簡単な説明】
【００４３】
【図１】本発明の第１の実施例に係るアレルゲンフリー建物の概略図である。
【図２】本発明の第１の実施例に係るアレルゲンフリー建物に用いられるフィルタおよびフィルタへ液体を供給する液体供給装置の概略図である。
【図３】本発明の第１の実施例に係るアレルゲンフリー建物のエアシャワー装置の制御フローを示す図である。
【図４】本発明に係る第２の実施例のアレルゲンフリー建物に用いられる抗菌剤添加装置の概略図である。
【図５】本発明の第３の実施例に係るアレルゲンフリー建物の概略図である。
【符号の説明】
【００４４】
１      玄関
２      側壁
３      空間
４      エアシャワー装置
５      吸気口
６      送風ファン
７      排気口
８      フィルタ
９      液体供給装置
１０    連通管
１１    閉止弁
１２    加湿部
１３    室内給気ダクト
１４    切替えダンパ
１５    制御装置
１６    人
１７    人感知センサ
１８    アレルゲン濃度測定センサ
２０    アレルゲンフリー建物
【図１】
2006194468.tif 000003
【図２】
2006194468.tif 000004
【図３】
2006194468.tif 000005
【図４】
2006194468.tif 000006
【図５】
2006194468.tif 000007